(57)【要約】【課題】射撃により土堤から出る粉塵が投影機内に侵入するのを防止するのに好適な射撃訓練用映像投影機の冷却気吸入機構を提供する。【解決手段】本発明は、屋内で土堤を背にして設置されたスクリーンに射撃訓練用映像を投影する投影機を、防塵型筐体に収容し該筐体から屋外まで延びる吸気管を通じてファンにより吸入した外気で冷却する冷却気吸入機構であって、吸気管６の吸気口７を屋外で下方に向け、吸気口７に防虫網８を、該防虫網８前面に十字形断面の仕切板９、底板１０を設け、吸気停止時に仕切板９、底板１０により吸気口７近傍の空気流れを遮り、吸気管６内に押し込む方向の空気流れをつくり、吸気管の負圧発生を防止して、投影機の筐体内へ回りの粉塵が逆に侵入するのを防止する。【選択図】        図３
2004340550.tif 000002
【特許請求の範囲】
【請求項１】
屋内で土堤を背後にして設置されたスクリーンに実弾射撃訓練用の映像を投影するために防塵型筐体内に収容された投影機を、前記筐体に接続しかつ屋外まで延びる吸気管を通じて吸気ファンにより吸入した外気で冷却し、それから前記筐体に設けた排気口から放出するように構成した射撃訓練用映像投影機の冷却気吸入機構において、前記屋外に位置する前記吸気管の吸気口前面に十字形断面の仕切板を、該仕切板の前端にカバー板を設けたことを特徴とする射撃訓練用映像投影機の冷却気吸入機構。
【請求項２】
前記吸気管の吸気口を下方に向けたことを特徴とする請求項１記載の射撃訓練用映像投影機の冷却気吸入機構。
【請求項３】
前記吸気管のうち屋外に露出する部分を直射日光を避けて設置したことを特徴とする請求項１または２に記載の射撃訓練用映像投影機の冷却気吸入機構。
【発明の詳細な説明】
【０００１】
【発明の属する技術分野】
本発明は、射撃訓練場で実弾を使って訓練を行うために訓練映像を投影する投影機の冷却気を吸入する機構にかかり、特に冷却気の吸入停止時に、射撃場内の粉塵が投影機内に侵入するのを防止するのに好適な射撃訓練映像投影機の冷却気吸入機構に関する。
【０００２】
【従来の技術】
従来、実弾による射撃訓練を行う屋内式射撃訓練装置として特開２０００―１４６４８７号公報の記載されたものがある。この射撃訓練装置は、標的映像を写すスクリーン、そのスクリーン上に標的映像を投影するためにスクリーン前方下に設置された投影機（液晶プロジェクタ）、射手が射撃したときスクリーンを通り抜けた実弾を捕捉するためにスクリーン背後に設置された土の停弾堤等を備えている（図１参照）。実弾が停弾堤に衝突したときに塵埃が発生するので、投影機はその塵埃が侵入しないように防塵構造の筐体に収納され、また、投影機内の制御素子等の発熱による温度上昇を防止するために筐体の底に接続する吸気管を通じて筐体内に設けた吸気ファンにより取り入れる外気により空冷される（図２参照）。筐体に接続する吸気管は屋外まで延び、そこで立ち上げられ、そしてその先端の吸気口は防塵、防滴、防虫に配慮した構造としている。
【０００３】
しかしながら、上記従来の投影機の吸気系では、投影機の電源を遮断し外気取り入れを停止している間に、吸気管内が負圧になり、そのため射撃場内の塵埃が筐体内に逆に侵入し、そして投影機の運転中に、その塵埃が外気と共に吸気ファンにより吸入され、投影機の寿命を短くする恐れがあることがわかってきた。
【０００４】
ところで、ある空間の負圧を除去する技術としては、特開２００２−８９９１３号公報及び特開平９−７９６０８公報に開示された装置がある。特開２００２−８９９１３号公報に記載の室内用空気口は、室外に通じるダクトから室内に取り入れる空気量を制御する弁板を備えており、そしてこの弁板は、室内が負圧になったとき、開動作して外気を導入し、室内の負圧を解消する。また特開平９−７９６０８公報に記載の空気調和装置は、外気給気口から取り入れる空気量を調節するダンパを備えており、このダンパは部屋に設けた開口部の開度を検出する開度検出手段からの信号により駆動制御される。ダンパを開度検出手段が検出する開度の大小に応じて、閉または開方向に制御することにより、開口部から室内に取り入れる空気量と空気調和装置から室内に供給する空調空気量との総量を調整し、かくして総量不足により室内が負圧になることを、あるいは空調空気の過剰供給を防止する。
【０００５】
【発明が解決しようとする課題】
前述したように、特開２０００―１４６４８７号公報に記載する射撃訓練装置においては、投影機の電源を切り外気の取り入れを停止する休止期間に、吸気管内が負圧になり射撃場内の塵埃が投影機の筐体内に逆に侵入するために、その塵埃が原因で投影機の寿命が短くなるという問題があった。
また負圧を除去する技術としては、上記のように、特開２００２−８９９１３号公報に記載の室内用空気口及び特開平９−７９６０８号に記載の空気調和装置に開示されたものがある。これらの技術を射撃訓練場に設置する投影機に適用することを考えた場合、前者の室内用空気口においては、弁板は室内空間が負圧の状態で動作するので、この弁板では負圧時に起きる投影機への塵埃侵入を防止するのには適当でない。また、後者の空気調和装置においては、負圧状態を回避するために室内開口部の開度検出手段、ダンパ及びダンパの駆動手段からなる機構を設けており、この機構は、常時動作する必要がある点及び負圧解消の対象となる空間に開口部を有する点から、電源を遮断しかつ防塵を必要とする投影機に用いるには不適当である。
本発明は、かかる従来技術の不都合を解決するためになされたものであってその課題とするところは、特に、実弾射撃訓練場で訓練映像を投影する投影機を収容する筐体内に冷却気を吸入するのを停止したときにも、吸気管内での負圧発生を防止して、粉塵が投影機の筐体内に侵入するのを防止できる射撃訓練用映像投影機の冷却気吸入機構を提供することである。
【０００６】
【課題を解決するための手段】
上記課題を解決するために、本発明は、屋内で土堤を背後にして設置されたスクリーンに実弾射撃訓練用の映像を投影するために防塵型筐体に収容した投影機を、該筐体に接続しかつ屋外まで延びる吸気管を通じて吸気ファンにより外気を導入し、該導入した外気で冷却した後に筐体に設けた排気口から放出するように構成した射撃訓練用映像投影機の冷却気吸入機構において、屋外に位置する吸気管の吸気口前面に十字形断面の仕切板を、該仕切板の前端にカバー板を設けたことを特徴とする。
【０００７】
射撃訓練において、実弾が土堤に衝突したとき、粉塵が発生し、それが射撃場内に拡散し、滞留する。一方、上記射撃訓練用映像投影機の冷却気吸入機構においては、吸気ファンの電源を切り投影機の運転を停止している間、屋外に位置する吸気管の吸気口近傍空気流は、四方いずれの方向から来ても十字形断面の仕切板ないしカバー板に衝突して吸気管内の空気を少なからず押し込む方向の流れになり、吸気管内での負圧発生を防ぐ。かくして、投影機の筐体内にその周囲の屋内空気が侵入せず、その屋内空気に含まれる粉塵が侵入することがないので、投影機の作動時に吸気ファンを運転しても、投影機に粉塵をもたらすことがない。
【０００８】
なお、上記吸気管は吸気口を下方に向けて設置することが好ましく、これにより、吸気管内に雨水が入るのを防止する。また、吸気管のうち屋外に露出する部分は直射日光を避けて設置することが好ましい。直射日光を避けるのは、上記露出部分に直射日光が当たって生じる煙突効果による負圧発生を防止するためである。
【０００９】
【発明の実施の形態】
図１〜図６を用いて、本発明の実施の形態である射撃訓練用映像投影機の冷却気吸入機構について説明する。図１は本発明に係わる屋内射撃訓練装置の概念図、図２は投影機の構造図、図３は冷却気吸入管の吸入口部の構造図、図４〜６は吸入口の前面における空気流の挙動を説明する図である。
【００１０】
まず、本発明の射撃訓練用映像投影機の冷却機構を適用する屋内射撃訓練装置について図１により説明する。射撃訓練装置は、監的部に設置したスクリーン１に射撃訓練用の映像を投影機２によって投影し、訓練者は監的部から離れた位置にある射座３からその映像の標的に向かって射撃を行うもので、スクリーン１の近くに設置された着弾位置検出器４によりスクリーン１上の着弾位置を検出し、その検出結果を射座３に配置した表示装置５に表示するように構成されている。そしてスクリーン１の背後には無石土からなる停弾堤１７（土堤に相当する）が設けられている。屋内射撃場内部、特に監的部は一般的に停弾堤１７に着弾したときに粉塵が大量に発生するため、監的部に設置される機器には防塵構造が採用されて、塵埃が機器内に侵入しないように配慮するのが通常である。特に投影機２は防塵とともにその内部にある電子回路、レンズ等の要素から発生する大量の熱を冷却気で冷却する必要がある。
【００１１】
投影機２は、図２に示すように、筐体２０内に収容され、該筐体２０内にはその底に接続された吸気管６を通じて外気を導入する吸気ファン２２が設置されている。筐体２０内に導入された外気は整流板２３を経て投影機２下面にある空気入口２４から投影機２内に入り制御素子、レンズ等を冷却した後に空気出口２５から出て、筐体２０の排気口２６から放出される。また筐体２０内に導入された外気の一部は、別の排気口２７から流出して、投影機２のレンズ１９の前方に当たる筐体２０に設けた投影窓２８外面に吹き付けられる。筐体２０に設けた各排気口２６，２７には防塵フィルタ２９が設置されている。
筐体２０に接続する吸気管６は射撃場内から屋外まで延びており、屋外でその終端部は立ち上げられ、その先端部の吸気口から冷却用空気を吸入することになる。投影機２が作動している間は、吸気ファン２２により冷却用空気を吸入するために筐体２０内は正圧の状態が保持される。一方、投影機２の電源を切り吸気ファン２２を停止している間には、従来の技術の項で述べたように、吸気管６の配管部分内が負圧になり、その回りに浮遊する粉塵が筐体２０内に侵入する。その結果、その粉塵が投影機２の寿命を縮める原因になる。この負圧発生の原因を調査した結果、吸気管６の吸気口前面を横切るように空気が流れるときに、吸気管内に投影機２運転中とは逆方向の空気流が生じ（図６）、これが負圧の原因であることをつきとめた。
【００１２】
本発明では、吸気管内での空気逆流を防止することにより投影機内での負圧発生を防止するために、吸気管先端部を図３に示すように構成した。すなわち、吸気管６はその終端部にＵ字状曲げ管部６ａを設けて、曲げ管部６ａ先端の吸気口７を下方向（地面）に向け、吸気口に十字状断面の仕切板９を、仕切板９の十字状先端に円形の底板１０（カバー板に相当する）を設けて構成する。また吸気口に虫除けのために防虫網を設置する。なお、十字形断面の仕切板の代わりに、少なくとも５枚の板片を放射状に組み合わせてなる仕切板を用いてもよい。
【００１３】
上記構造により吸気管内部の気圧は負圧状態が避けられる。図４〜図６により吸気管６先端部の空気の流れと管内部の気圧との関係について説明する。図６は平面的な吸気口を有する従来型の吸気管における空気の流れを示しており、吸気口７前面を通る横風すなわち空気流れ１２が通過するために、管内部の空気１３が外に引っ張られて管内部が負圧になる。したがって投影機の筐体内に負圧が発生する。一方、図４に示すように本発明の構造、すなわち十字状の仕切板９、底板１０を吸気口に設けた構造においては、どの方向からの横風１４も仕切板９により遮られて通過することがないために、管内部空気がけん引されることがないばかりか、遮られた空気は底板１０により管内部空気を少なからず押し込む方向に作用する。図５は底板１０の補助効果を示す図で、底板１０は直接仕切板９に当らない斜め上からの空気流れ１５も遮断して管内方向への力を発生させる。
【００１４】
以上図４，５により説明したように、吸気管の吸気口に十字状の仕切板及び底板を設けることにより吸気管内部で負圧が発生するのを防止でき、筐体内に粉塵が侵入するのを防止できる。従って粉塵による投影機の損傷は起きないことになり、投影機の寿命を延ばすことができる。
【００１５】
なお、上記のように吸気管の吸気口は地面に向ける下向としたが、上向き、横向きとしても、仕切板とカバー板の効果により吸気管内の負圧発生を防止できるので、場合によっては、上向き、横向きにしてもよい。ただし、上向き、横向き雨水の浸入を防ぐために吸気管の吸気口に覆いを設けることになる。従って吸気口は下向が最も好ましい。
【００１６】
また、屋外に露出する吸気管は高さを極力低くし、直射日光の照射を可能な限り避ける方向で設置することで、煙突効果による空気流動が装置内部を負圧化する方向になるのを極力押さえることが出来る。
【００１７】
上記の冷却気吸入機構は実弾射撃訓練場で使用する投影機に適用したものであるが、他に冷却気吸入を必要とする装置が出てくれば、当然ながらそれにも適用できる。
【００１８】
【発明の効果】
本発明によれば、吸気菅の吸気口前面に十字形状の仕切板を設けたので、冷却気の吸入停止時にも、吸気管内で負圧が発生するのを防止でき、投影機の筐体内に周りの粉塵が侵入するのを防止でき、従って投影機の寿命を延ばすことができる射撃訓練用映像投影機の冷却気吸入機構を提供することができる。
【図面の簡単な説明】
【図１】実施の形態に係わる屋内射撃訓練装置の構成図である。
【図２】実施の形態に係わる射撃訓練用映像投影機の構成図である。
【図３】実施の形態に係わる投影機の冷却気用吸入管の吸気口部の構成図である。
【図４】実施の形態に係わる吸入管の吸気口部における空気流れを説明する図であり、（ａ）は側方から見た部分断面図、（ｂ）は（ａ）のＡ−Ａ線からの矢視図である。
【図５】実施の形態に係わる吸入管の吸気口部における空気流れを説明する図であり、（ａ）は側方から見た部分断面図、（ｂ）は（ａ）のＢ−Ｂ線からの矢視図である。
【図６】従来の吸入管の吸気口部における空気流れを説明する図である。
【符号の説明】
１  スクリーン
２  投影機
３  射座
４  着弾位置検出器
５  表示装置
６  吸気管
７  吸気口
８  防虫網
９  仕切板
１０  底板
１４  吸気口への空気の流れ
１５  吸気口への空気の流れ
１７  停弾堤
２０  筐体
２２  吸気ファン
２４  空気入口
２５  空気出口
２６、２７  排気口
２９  防塵フィルタ
【図１】
2004340550.tif 000003
【図２】
2004340550.tif 000004
【図３】
2004340550.tif 000005
【図４】
2004340550.tif 000006
【図５】
2004340550.tif 000007
【図６】
2004340550.tif 000008